(57)【特許請求の範囲】
【請求項１】
複数のアンテナユニットと該複数のアンテナユニットを直列に結ぶ第１の信号路を経て各アンテナユニットの受信信号の合計を受け取る無線基地局とを具備するマルチアンテナ無線システムにおいて、各アンテナユニットに具備される受信信号の増幅器の利得を制御する方法であって、
無線基地局において、アンテナユニットを直列に結ぶ第２の信号路を経てアンテナユニットの数を示す信号を受け取り、
無線基地局において、受信信号の合計電力の目標値をアンテナユニットの数で除して各アンテナユニットの目標電力値を算出し、
各アンテナユニットにおいて、アンテナユニットを直列に結ぶ第３の信号路を経て該目標電力値を受け取り、
各アンテナユニットにおいて、受信信号の電力値が該目標電力値になるように前記受信信号の増幅器の利得を制御することを具備する方法。
【請求項２】
複数のアンテナユニットと該複数のアンテナユニットを直列に結ぶ第１の信号路を経て各アンテナユニットの受信信号の合計を受け取る無線基地局とを具備するマルチアンテナ無線システムにおいて、各アンテナユニットに具備される受信信号の増幅器の利得を制御する装置であって、
無線基地局において、アンテナユニットを直列に結ぶ第２の信号路を経てアンテナユニットの数を示する信号を受け取る手段と、
無線基地局において、前記受信信号の合計の電力の目標値をアンテナユニットの数で除して各アンテナユニットの目標電力値を算出する手段と、
各アンテナユニットにおいて、アンテナユニットを直列に結ぶ第３の信号路を経て該目標電力値を受け取る手段と、
各アンテナユニットにおいて、受信信号の電力値が該目標電力値になるように前記受信信号の増幅器の利得を制御する手段とを具備する装置。
【発明の詳細な説明】
【技術分野】
【０００１】
本発明は、複数のアンテナユニットと複数のアンテナユニットを直列に結ぶ信号路を経て接続された無線基地局とを含むマルチアンテナ無線システムにおいて、各アンテナユニットに備えられた可変利得増幅器の利得制御の方法と装置に関する。
【背景技術】
【０００２】
本願の出願時においては未公開であるＰＣＴ／ＪＰ０３／０５６１２およびＰＣＴ／ＪＰ０３／１３７３１には、ビル内や地下街などにおける電波の不感地帯を低減するため、ＣＤＭＡ（符号分割多重）方式ではＲａｋｅ受信が可能であることを利用して、１つの無線基地局に複数のアンテナユニットを接続したマルチアンテナ無線システムが開示されている。各アンテナユニットにおいて、受信信号は可変利得増幅器で増幅され、Ａ／Ｄ変換器でデジタル信号に変換される。複数のアンテナユニットと無線基地局は無線基地局を一端（最上流）として直列に接続され、他端（最下流）のアンテナユニットから順に、下流に隣接するアンテナユニットから受け取った受信信号のディジタル値に自ユニットの受信信号のディジタル値を加算して上流に隣接するアンテナユニットに渡すことにより、無線基地局はすべてのアンテナユニットにおける受信信号の合計を受け取る。無線基地局はこの受信信号の合計に対して拡散符号ごとにＲａｋｅ合成を行ってチャンネルごとの信号を再構成する。【０００３】
この様なマルチアンテナ無線システムにおいては、任意の数のアンテナユニットを１つの無線基地局に接続できるという利点を生かすため、接続されたアンテナユニットの数が変わっても無線基地局が受け取る受信信号の合計の電力値が最適な範囲内に収まるように各アンテナユニットの可変利得増幅器の利得が自動的に制御されることが望まれる。【０００４】
【特許文献１】特開２００３−１５２６１１号公報
【特許文献２】特開２００１−２８５１５８号公報
【発明の開示】
【発明が解決しようとする課題】
【０００５】
したがって本発明の目的は、マルチアンテナ無線システムにおいて各アンテナユニットの受信信号の増幅器の利得を適切に制御する方法と装置を提供することにある。
【課題を解決するための手段】
【０００６】
本発明によれば、複数のアンテナユニットと該複数のアンテナユニットを直列に結ぶ第１の信号路を経て各アンテナユニットの受信信号の合計を受け取る無線基地局とを具備するマルチアンテナ無線システムにおいて、各アンテナユニットに具備される受信信号の増幅器の利得を制御する方法であって、無線基地局において、アンテナユニットを直列に結ぶ第２の信号路を経てアンテナユニットの数を示す信号を受け取り、
無線基地局において、受信信号の合計電力の目標値をアンテナユニットの数で除して各アンテナユニットの目標電力値を算出し、
各アンテナユニットにおいて、アンテナユニットを直列に結ぶ第３の信号路を経て該目標電力値を受け取り、各アンテナユニットにおいて、受信信号の電力値が該目標電力値になるように前記受信信号の増幅器の利得を制御することを具備する方法が提供される。
【図面の簡単な説明】
【０００７】
【図１】本発明の一実施例に係るマルチアンテナ無線システムの構成を示すブロック図である。
【図２】アンテナユニットの詳細な構成を示すブロック図である。
【発明を実施するための最良の形態】
【０００８】
図１は本発明の一実施例に係る自動利得制御機能を備えたマルチアンテナ無線システムの構成、特に無線基地局（ＢＴＳ）の詳細な構成を示し、図２は各アンテナユニット（ＡＵ１〜ＡＵｎ）の詳細な構成を示す。【０００９】
図１において、信号線１０，１２，１４および１６がアンテナユニットＡＵ１〜ＡＵｎと無線基地局（ＢＴＳ）を直列に結んでいる。信号線１０上では各ＡＵで得られた受信データの加算値が伝送される。すなわち、各ＡＵのアンテナ１８（図２）において受信され、送受共用器２０、カプラ２２を経て可変利得増幅器２４で増幅され、Ａ／Ｄ変換器２６においてディジタル信号に変換された受信データが、加算器２８において下流（図１中左側）に隣接するＡＵからの受信データに加算され、加算結果が上流（図１中右側）に隣接するＡＵに渡される、これにより、最上流に位置するＢＴＳはすべてのＡＵにおける受信データの合計を受け取る。信号線１２上にはＢＴＳから送信データが伝送され、各ＡＵではそれをＤ／Ａ変換器３０でアナログ信号に変換し、電力増幅器３２で増幅して送受共用器２０を経てアンテナ１８から放射する。【００１０】
信号線１６上には図２に示すように各ＡＵにおいて加算器３４で１が加算される信号が下流から上流へ伝送される。これにより、ＢＴＳは現在接続されているＡＵの台数を知ることができる。図１に示すようにＢＴＳではこのＡＵ台数の合計値で合計目標出力電力の値を除算し、その結果を各ＡＵの目標出力電力として各ＡＵへ信号線１４を経て伝達する。【００１１】
各ＡＵでは、図２に示すように、カプラ２２で分岐された可変利得増幅器２４の入力について電力計算部４０においてその電力を計算し、Ａ／Ｄ変換器４２でディジタル値に変換する。そして、信号線１４上を伝送される目標出力電力の値をこの入力電力で除算し、その結果をＤ／Ａ変換器４４でアナログ信号に変換して利得設定値として可変利得増幅器２４に与える。【００１２】
以上のような制御により、各ＡＵの受信データの電力は合計目標出力電力をＡＵの台数で除した値になるように制御される。その結果、ＢＴＳが受け取る受信データの合計はＡＵの台数によらず最適な値になるように制御され、運用中にＡＵの数が変わっても自動的に最適値に制御される。【００１３】
増幅器２４の入力電力を計算してそれで目標出力電力を除した結果を増幅器２４の利得として設定する代わりに、増幅器２４の出力電力を測定しそれと目標値を比較して比較結果を増幅器の利得にフィードバックして出力電力が目標値になるように制御しても良い。
【図１】
0004361093.tif 000002
【図２】
0004361093.tif 000003